(57)【要約】【課題】通常モード、留守モードのいずれの実行時にも、呼出元に応じて、録音有無や応答メッセージ内容を選択設定できる集合住宅管理通話システムを提供する。【解決手段】住宅情報盤は、少なくとも、ロビーインターホン、上記ドアホン子器の端末器の種別に対応して、メッセージ記録機能の有効、無効を設定するメッセージ記録機能設定手段と、呼出信号を受信したときには、呼出元の端末器の種別を判別し、かつ記録機能設定手段を参照することによって、判別した呼出元に応じて、記録を行うか否かを制御する制御手段とを備えたことを特徴とする。【選択図】図１
2005191853.tif 000002
【特許請求の範囲】
【請求項１】
共同玄関などに設置されたロビーインターホンと、各住戸に設置され、ドアホン子器に接続されるとともにメッセージ記録機能を備える住宅情報盤とを、少なくとも組み合わせて構成した集合住宅管理通話システムにおいて、
上記住宅情報盤は、少なくとも、上記ロビーインターホン、上記ドアホン子器の端末器の種別に対応して、メッセージ記録機能の有効、無効を設定するメッセージ記録機能設定手段と、
呼出信号を受信したときには、呼出元の端末器の種別を判別し、かつ上記記録機能設定手段を参照することによって、判別した呼出元に応じて、記録を行うか否かを制御する制御手段とを備えたことを特徴とする集合住宅管理通話システム。
【請求項２】
請求項１において、
上記住宅情報盤は、少なくとも、ロビーインターホン、ドアホン子器の端末器の種別に対応させて、呼出元の端末器に返信すべき応答メッセージの有無を設定する応答メッセージ送出有無情報設定手段を更に備え、
上記制御手段は、呼出を受けたときには、呼出元の端末器の種別を判別し、かつ上記応答メッセージ送出有無情報設定手段を参照することによって、呼出を受けたときに、呼出元に対する応答メッセージを、上記応答メッセージ送出有無情報設定手段に設定された情報に基づいて返信することを特徴とする集合住宅管理通話システム。
【請求項３】
請求項１または２において、
上記住宅情報盤は、少なくとも、ロビーインターホン、ドアホン子器の端末器の種別に対応させて、呼出を受けた時に返信すべき応答メッセージの内容を登録できる応答メッセージ登録設定手段を更に備え、
上記制御手段は、呼出を受けたときには、呼出元の端末器の種別を判別し、かつ上記応答メッセージ登録設定手段を参照することによって、呼出を受けたときに、上記応答メッセージ登録設定手段に登録された応答メッセージを、呼出元に返信することを特徴とする集合住宅管理通話システム。
【請求項４】
請求項３において、
クロックタイマを更に備えるとともに、上記応答メッセージ登録設定手段は、呼出元に返信すべき応答メッセージを、呼出を受けた時間帯に区分して登録設定できる構成とされ、
上記制御手段は、呼出を受けたときには、呼出元の端末器の種別を判別し、かつ上記クロックタイマと上記応答メッセージ登録設定手段を参照することによって、その時刻帯に応じて、上記応答メッセージ登録設定手段に登録された応答メッセージを、呼出元に返信することを特徴とする集合住宅管理通話システム。
【請求項５】
請求項３または４において、
上記住宅情報盤の応答メッセージ登録設定手段は、更に、所定操作によって、送出すべき応答メッセージを選択するようにしており、
上記制御手段は、上記所定操作に基づいて、選択された応答メッセージを呼出元に送出する集合住宅管理通話システム。
【発明の詳細な説明】
【技術分野】
【０００１】
本発明は、集合住宅管理通話システムの改良に関する。
【背景技術】
【０００２】
近時、一般住宅などにおいては、特許文献１に示すような集合住宅管理通話システムが用いられており、このものでは、各住戸に住宅情報盤を設置する一方、それぞれの住宅情報盤には、その住戸の玄関先のドアホン子器、管理人室などの警報監視盤、共同玄関などのロビーインターホンが接続されている。
【０００３】
このような構成によれば、住宅情報盤は、通常モードと留守モードをユーザの操作設定により選択できるようになっており、通常モードでは、少なくとも、玄関先のドアホン子器、ロビーインターホンのいずれかから呼出を受け、応答したときには通話路が形成されて、両者間で通話をすることができる。
【０００４】
一方、留守モードでは、少なくとも、玄関先のドアホン子器、ロビーインターホンのいずれかから呼出を受けたときには、応答メッセージを当該呼出元に送出して、呼出元においてメッセージ入力があったときには、そのメッセージが住宅情報盤で録音される。
【特許文献１】特開平８−３２２０３８号公報
【発明の開示】
【発明が解決しようとする課題】
【０００５】
しかしながら、このようなシステムにおいては、玄関先のドアホン子器、ロビーインターホンのいずれの呼出に対しても、通常モード、留守モードともに同じ処理しか行えなかった。
【０００６】
すなわち、通常モードでは、いずれの呼出元からの呼出に対しても、応答後通話するという処理が共通し、留守モードでは、いずれの呼出元からの呼出に対しても、同一の応答メッセージ送出後、録音処理をするという処理が共通する。
【０００７】
つまり、通常モードにおいては、いずれの呼出元から呼出があっても、応答するまでの比較的長い時間、呼出音が鳴動するため、応答したくない場合、無視するしかなく不便であった。
【０００８】
一方、留守モードにおいては、いずれの呼出元から呼出があっても、同一の音声メッセージを自動送出して応答し、相手先からメッセージ入力があればそのメッセージを録音する。
【０００９】
したがって、不特定多数の訪れるロビーインターホンからの呼出であっても、呼出者が比較的特定しやすいドアホン子器や警報監視盤からの呼出であっても、通常モード、留守モードともに同じ処理しか行わないことになり、例えば、留守モードにおいては、不要な音声メッセージがたくさん録音されており、そのようなメッセージがたまってくると、必要な来客のメッセージが録音されないなどの不都合があり、呼出元の種別によって、録音の有無を自由に設定できれば便利である。また、応答メッセージの内容を自由に設定できれば便利である。
【００１０】
本発明は、このような事情を考慮して提案されるものであって、通常モード、留守モードのいずれの実行時にも、呼出元に応じて、録音有無や応答メッセージ内容を選択設定できる集合住宅管理通話システムを提供することを目的とする。
【課題を解決するための手段】
【００１１】
上記目的を達成するために、本発明の請求項１では、住宅情報盤は、少なくとも、ロビーインターホン、上記ドアホン子器の端末器の種別に対応して、メッセージ記録機能の有効、無効を設定するメッセージ記録機能設定手段と、呼出信号を受信したときには、呼出元の端末器の種別を判別し、かつ記録機能設定手段を参照することによって、判別した呼出元に応じて、記録を行うか否かを制御する制御手段とを備えたことを特徴とする。
請求項２では、住宅情報盤は、少なくとも、ロビーインターホン、ドアホン子器の端末器の種別に対応させて、呼出元の端末器に返信すべき応答メッセージの有無を設定する応答メッセージ送出有無情報設定手段を更に備え、制御手段は、呼出を受けたときには、呼出元の端末器の種別を判別し、かつ応答メッセージ送出有無情報設定手段を参照することによって、呼出を受けたときに、呼出元に対する応答メッセージを、応答メッセージ送出有無情報設定手段に設定された情報に基づいて返信することを特徴とする。
請求項３では、住宅情報盤は、少なくとも、ロビーインターホン、ドアホン子器の端末器の種別に対応させて、呼出を受けた時に返信すべき応答メッセージの内容を登録できる応答メッセージ登録設定手段を更に備え、制御手段は、呼出を受けたときには、呼出元の端末器の種別を判別し、かつ上記応答メッセージ登録設定手段を参照することによって、呼出を受けたときに、応答メッセージ登録設定手段に登録された応答メッセージを、呼出元に返信することを特徴とする。
【００１２】
請求項４では、クロックタイマを更に備えるとともに、上記応答メッセージ登録設定手段は、呼出元に返信すべき応答メッセージを、呼出を受けた時間帯に区分して登録設定できる構成とされ、制御手段は、呼出を受けたときには、呼出元の端末器の種別を判別し、かつクロックタイマと応答メッセージ登録設定手段を参照することによって、その時刻帯に応じて、上記応答メッセージ登録設定手段に登録された応答メッセージを、呼出元に返信することを特徴とする。
請求項５では、住宅情報盤の応答メッセージ登録設定手段は、更に、所定操作によって、送出すべき応答メッセージを選択するようにしており、制御手段は、上記所定操作に基づいて、選択された応答メッセージを呼出元に送出する。
【発明の効果】
【００１３】
本発明の請求項１では、住宅情報盤では、少なくとも、ロビーインターホン、ドアホン子器からの呼出を受けた際に、メッセージ記録機能を実行するかしないかを登録しておいて、呼出があったとき、その呼出元に応じて、その登録状況に応じて、記録をするかしないかを制御するので、不特定多数の訪れるロビーインターホンと、呼出者を特定しやすいドアホン子器とで、メッセージ記録の有無を分け、不要なメッセージを記録することがないようにでき、利便にできる。
【００１４】
請求項２では、少なくとも、ロビーインターホン、ドアホン子器からの呼出を受けた際に応答メッセージを返信するかしないかを登録しておいて、呼出があったとき、その呼出元に応じて、応答メッセージを返信したり返信しなかったりできるので、不特定多数の訪れるロビーインターホンと、呼出者を特定しやすいドアホン子器とで、応答メッセージの出力有無を分け、不要な応答メッセージを返信しないようにでき、利便にできる。
【００１５】
請求項３では、少なくとも、ロビーインターホン、ドアホン子器からの呼出を受けた際に、どの応答メッセージを返信するかを登録しておいて、呼出があったとき、その呼出元に応じて、対応する内容の応答メッセージを返信できるので、不特定多数の訪れるロビーインターホンと、呼出者を特定しやすいドアホン子器とで、応答メッセージの内容を分けることができ、利便にできる。
【００１６】
請求項４では、少なくとも、ロビーインターホン、ドアホン子器からの呼出を受けた際に、その呼出を受けた時間帯に応じて、異なる応答メッセージを返信するので、朝、昼、夜などに区分して応答メッセージを登録しておけば、それぞれに応じて、来客に対する対応を使い分けることができる。
【００１７】
請求項５では、所定操作により、返信すべき応答メッセージを選択できるので、呼出を受け、モニタテレビに来客映像が表示されたとき、それを参照して、対応を使い分けることができ、利便にできる。
【発明を実施するための最良の形態】
【００１８】
以下に、本発明の実施の形態について説明する。
【実施例１】
【００１９】
図１は、本発明システムの概略構成の一例を示している。
【００２０】
このものは、各住戸には住宅情報盤１を設置し、共同玄関にはロビーインターホン５を設置し、管理人室には警報監視盤６を設置している。そして、集合住宅の適所には映像制御盤４を設置している。
【００２１】
住宅情報盤１の各々は、制御線、通話線、映像線を束ねた伝送ラインＬ１を通じて映像制御盤４、その住宅情報盤１の設置される住戸の玄関先のドアホン子器７に接続され、映像制御盤４は映像線で構成された伝送ラインＬ３を通じてロビーインターホン５に接続されるとともに、制御線、通話線を束ねた伝送ラインＬ２を通じて警報監視盤６に接続される。
【００２２】
また、ロビーインターホン５と警報監視盤６とは、先述した、制御線、通話線を束ねた伝送ラインＬ２を通じて相互に接続される。
【００２３】
図２は、本発明システムで用いられる住宅情報盤の基本的な構成概念の一例を示す図である。この住宅情報盤１は、この住宅情報盤１を制御する制御手段１０と、メッセージ記録機能設定手段１１と、応答メッセージ送出有無情報設定手段１２と、クロックタイマ１３と、応答メッセージ登録設定手段１４と、応答メッセージ選択スイッチ１５と、呼出元の端末器の種別と、これらの識別コードとを対応付けて登録した端末器種別登録テーブルＴを備える。
【００２４】
メッセージ記録機能設定手段１１は、記録有無情報メモリ１１Ａを有しており、このメモリ１１Ａには、呼出元の端末器の種別に応じて、記録機能を実行するかしないかの情報が登録される。本発明システムにおいては、メッセージ記録とは、音声メッセージの録音のことを例示しているが、これには限られず、文字メッセージなど、音声メッセージ以外の記録であってもよい。
【００２５】
応答メッセージ送出有無情報設定手段１２は、応答メッセージ送出有無情報メモリ１２Ａを有しており、このメモリ１２Ａには、呼出元の端末器の種別に応じて、応答メッセージの出力有無が登録される。クロックタイマ１３は、現在時刻を計時するものである。
【００２６】
なお、設定手段１１，１２は、ここでは、後述するようにマイコン２０に包含されているが、別途独立して設けてもよい。各メモリ１１Ａ、１２Ａへの情報設定は、マイコン２０の機能によりソフトスイッチ的に登録してもよいし、ディップスイッチなどのハードスイッチの操作で登録してもよい。
【００２７】
応答メッセージ登録設定手段１４は、複数の応答メッセージＡ〜Ｚを登録した応答メッセージメモリ１４Ａと、応答メッセージメモリ１４Ｂ、１４Ｃを有する。応答メッセージメモリ１４Ｂは、図３に示すように、呼出元の端末器の種別に応じて応答メッセージの種類が、応答メッセージメモリ１４Ａの応答メッセージＡ〜Ｚのいずれかのうち１つ登録される。また、応答メッセージメモリ１４Ｃは、図４に示すように、呼出を受けた時間帯に応じて、応答メッセージの種類が、応答メッセージメモリ１４Ａの応答メッセージＡ〜Ｚのいずれかのうち１つ登録される。応答メッセージ選択スイッチ１５の機能は後述する。
【００２８】
なお、この設定手段１４も、ここでは、後述するようにマイコン２０に内包されているが、別途独立して設けてもよい。各メモリ１４Ａ〜１４Ｃへの情報登録は、マイコン２０の機能によりソフトスイッチ的に登録してもよいし、ディップスイッチなどのハードスイッチの操作で登録してもよい。
【００２９】
このような基本的な構成概念の住宅情報盤１の具体的構成例を、図５に示す。住宅情報盤１は、先述した各構成部材１０〜１４のすべてを内包したマイコン２０、各種操作キーなどで構成された操作部２１、モニタテレビ２２、録画回路２３、制御線、通話線、映像線を束ねた伝送ラインＬ１を通じて各種信号を伝送するための伝送入出力回路２４、伝送ラインＬ１を通じて入力された映像信号を制御するために設けられ、モニタテレビ２２に映像信号を出力して表示させたり、録画回路２３に出力して録画させる機能をなす映像制御回路２５、伝送ラインＬ１を通じてドアホン子器５の制御をするドアホン制御回路２６、各呼出元との間での、マイクＭＩとスピーカＳＰを用いた通話を制御するための通話制御回路２７、呼出元から入力された音声メッセージを録音する録音回路２８、非常時に警報出力する警報音出力回路２９、警報監視盤６から音声警報を受信し、これをスピーカＳＰから出力させる音声警報入力回路３０とを備える。
【００３０】
この住宅情報盤１は、通常モード、留守モードが操作部２１での選択操作により選択できる。各々のモード処理については後述する。
【００３１】
図６は、映像制御盤４の内部構成の一例を示す図である。この映像制御盤４は、ロビーインターホン５から映像信号を伝送ラインＬ３を通じて入力する映像入力回路４０、伝送ラインＬ３を通じて、映像入力回路４０で入力され、伝送ラインＬ１に出力すべき映像信号を増幅する映像増幅回路４１を備える。
【００３２】
図７は、ロビーインターホン５の内部構成の一例を示す図である。このロビーインターホン５は、以下の構成要素を制御するマイコン５０、伝送ラインＬ２、Ｌ３を通じた各種信号の伝送をするための伝送入出力回路５１、各種操作キーを有するキースキャン回路５２、表示回路５３、カメラ５７での撮影によって形成された映像信号を制御する映像制御回路５４と、呼出先との間でマイクＭＩとスピーカＳＰを使用した通話をするための通話制御回路５５、録音回路５６を備える。
【００３３】
図８は、警報監視盤６の内部構成の一例を示す図である。この警報監視盤６は、この警報監視盤６を制御するマイコン６０と、伝送ラインＬ１を通じて各種信号を伝送するための伝送入出力回路６１、各種操作キーを有するキースキャン回路６２、表示回路６３、通話制御回路６４、録音回路６５、警報音出力回路６６、各住宅情報盤に音声警報を出力する音声警報出力回路６７を備える。
【００３４】
図９は、ドアホン子器７の内部構成の一例を示す図である。このドアホン子器７は、このドアホン子器７を制御するマイコン７０、伝送ラインＬ１を通じて各種信号の伝送をするための伝送入出力回路７１、映像制御回路７２、通話制御回路７４、カメラ７３、マイクＭＩ、スピーカＳＰ、録音回路７５を備える。
これら、ロビーインターホン５、警報監視盤６、ドアホン子器７の各々は、通話したい相手先を指定して、図示しない呼出釦を操作し、その相手先を呼び出したとき、その相手先から、音声メッセージ入力を促す信号を受信すればマイクＭＩを通じたメッセージ入力を受け付けて、入力されたメッセージを相手先に送出する機能を有する。
【００３５】
また、このとき、応答メッセージが、音声メッセージ入力を促す信号とともに受信されたときには、音声メッセージ入力を受け付ける前に、受信した応答メッセージをスピーカＳＰより出力する。これらは、従来から備える機能であるが、後述する処理に必要なので示しておく。
【００３６】
このような構成の本発明システムの特徴的な処理について、図１０のフローチャートとともに説明する。
すなわち、住宅情報盤１は、ロビーインターホン５、警報監視盤６、他の住宅情報盤１、ドアホン子器７での呼出操作により、いずれかの住宅情報盤１を呼び出したときには（１００）、呼出を受けた住宅情報盤１は、留守モードであるときには（１０１）、呼出元を判定する（１０２）。
すなわち、ロビーインターホン５、警報監視盤６、他の住宅情報盤１から呼出を受けたときには、呼出元の機種識別コードが送出されてくるから、そのコードに対応する呼出元を、端末器種別登録テーブルＴを参照して判定する。一方、ドアホン子器７から呼出を受けたときには、住宅情報盤１には直接伝送ラインＬ１を通じて接続されているから、識別コードと対応付けて登録しなくても、ドアホン子器７からの呼出であると判定できる。
そして、先述した録音有無情報メモリ１１Ａを参照して、その呼出元に応じた録音有無情報を判定し、録音ありの設定であれば（１０３）、呼出音を短時間、例えば３Ｓ間鳴動させ、住人に対して、後述するような、応答メッセージ選択機能ができる旨を通知する（１０４）。
そして、応答メッセージ送出有無情報メモリ１２Ａを参照し、当該呼出元に応じた送出有無情報を判定し（１０５）、送出ありの設定であれば（１０６）、応答メッセージメモリ１４Ｂを参照して、当該コードに応じた応答メッセージを選択し、それを呼出元に送出する（１０７）。これとともに、メッセージ入力を受け付けるための制御信号を呼出  元に出力する。
すると、呼出元と住宅情報盤１との間では通話路が形成された状態となり、呼出元では送出した応答メッセージが出力され、メッセージ入力機能を実行するようになる。この状態で、呼出元からメッセージ入力がされたときにはそのメッセージを録音する（１０８）。そして、通話路を開放する（１０９）。
一方、ステップ１０１において通常モードであれば、呼出音を比較的長い時間、例えば３０Ｓ間鳴動させ（１１０）、応答すれば通話処理がされる（１１１）。
なお、ここでは、録音処理は住宅情報盤１側で行っているが、本発明ではこの例に限られず、ステップ１０７（図１０参照）において応答メッセージを送る際に録音指示信号を送出し、ロビーインターホン５、警報監視盤６、ドアホン子器７の録音回路に音声メッセージを録音させ、録音すればメッセージ預かり信号を住宅情報盤１に送出して、その旨報知させておき、住宅情報盤１での再生操作によって再生指示信号を送って、預かった音声メッセージを受信し再生するようにしてもよい。この場合には、メッセージ預かり信号の受信が住宅情報盤１に記録される。
【実施例２】
【００３７】
図１１は、本発明システムの第２実施例の処理について説明するためのフローチャートである。
このものは、図１０のステップ１０５〜１０７の処理に代替して行われるものである。すなわち、呼出音を鳴動させた後（１０４）、クロックタイマ１３で計時された時刻を判定し、応答メッセージメモリ１４Ｃを参照して、属する時間帯を判定する。そして、時間帯１（例えば６〜１２時）ならば（２００）、それに応じた応答メッセージＡを選択し、出力する（２０１）。
また、属する時間帯が時間帯２（例えば２４〜５時）ならば（２０２）、それに応じた応答メッセージＣを選択し、出力する（２０３）。
更に、属する時間帯に応じた応答メッセージがなかった場合には（ここでは１８−２４時）（２０２）、受信した呼出元の機種識別コードに応じた応答メッセージを、応答メッセージメモリ１４Ｂから選択し送出する（２０４）。
なお、ここでは、時間帯により応答メッセージ内容を判定するのは、留守モードかつ録音あり設定がされているときだけであるが、これには限られず、通常モードのとき、また、留守モードであっても録音なし設定がされているときでも、上記処理を行ってもよい。
【実施例３】
【００３８】
図１２は、本発明システムの第３実施例の処理について説明するためのフローチャートである。このものは、図１０のステップ１０５〜１０７の処理に代替して行われるものである。すなわち、呼出音を鳴動させた後（１０４）、ロビーインターホン５、ドアホン子器７からの呼出であれば、モニタテレビ２２に来客映像が表示される（３００）。
【００３９】
住人は、この映像を見ながら、送出すべき応答メッセージの選択ができ、選択スイッチ１５の操作により応答メッセージＡが選択されると（３０１）、そのメッセージＡをメッセージメモリ１４Ａより抽出して送出する（３０２）。
【００４０】
また、選択スイッチ１５の操作により応答メッセージＢが選択されると（３０３）、そのメッセージＢをメッセージメモリ１４Ａより抽出して送出する（３０４）。
【００４１】
一方、呼出音が鳴動されてから（１０４）、所定時間経過しても、メッセージ選択操作がなかった場合には、受信した呼出元の種別に応じた応答メッセージを、応答メッセージメモリ１４Ｂから選択し送出する（３０５）。
【００４２】
なお、ここでは、住人の操作により応答メッセージ内容を選択するのは、留守モードかつ録音あり設定がされているときだけであるが、これには限られず、通常モードのとき、また、留守モードであっても録音なし設定がされているときでも、上記処理を行ってもよい。
【図面の簡単な説明】
【００４３】
【図１】本発明システムの概略構成の一例を示す図
【図２】本発明システムで用いられる住宅情報盤の基本的な構成概念の一例を示す図
【図３】応答メッセージメモリ（呼出元別）の構成の一例を示す図
【図４】応答メッセージメモリ（時間帯別）の構成の一例を示す図
【図５】住宅情報盤の基本構成例の一例を示す図
【図６】映像制御盤の基本構成例の一例を示す図
【図７】ロビーインターホンの基本構成例の一例を示す図
【図８】警報監視盤の基本構成例の一例を示す図
【図９】ドアホン子器の基本構成例の一例を示す図
【図１０】本発明システムの基本動作について説明するためのフローチャート
【図１１】本発明システムの第２実施例の基本動作について説明するためのフローチャート
【図１２】本発明システムの第３実施例の基本動作について説明するためのフローチャート
【符号の説明】
【００４４】
１  住宅情報盤
４  映像制御盤
５  ロビーインターホン
６  警報監視盤
１０  制御手段
１１  録音機能設定手段
１２  応答メッセージ送出有無情報設定手段
１３  クロックタイマ
１４  応答メッセージ登録設定手段
【図１】
2005191853.tif 000003
【図２】
2005191853.tif 000004
【図３】
2005191853.tif 000005
【図４】
2005191853.tif 000006
【図５】
2005191853.tif 000007
【図６】
2005191853.tif 000008
【図７】
2005191853.tif 000009
【図８】
2005191853.tif 000010
【図９】
2005191853.tif 000011
【図１０】
2005191853.tif 000012
【図１１】
2005191853.tif 000013
【図１２】
2005191853.tif 000014